(57)【特許請求の範囲】
【請求項１】
表示領域と前記表示領域を取り囲むベゼル領域とを含む表示画面と、基部と、前記表示画面および前記基部を連結する回転軸と、前記表示画面の前記ベゼル領域に配置され、かつ、組み付け方式で前記回転軸に連結される、回転軸支持体と、前記表示画面の前記ベゼル領域に配置される駆動回路基板とを備えるノートブックコンピュータであって、
前記回転軸支持体は、第１回転軸支持体および第２回転軸支持体を有し、前記駆動回路基板の投影および前記第１回転軸支持体の投影が、前記表示画面が位置付けられる平面において重ならず、前記駆動回路基板の前記投影および前記第２回転軸支持体の投影が、前記表示画面が位置付けられる前記平面において少なくとも部分的に重なる、ノートブックコンピュータ。
【請求項２】
前記第１回転軸支持体は、前記表示画面の筐体に固定的に連結されている第１本体部と、前記第１本体部と一体構造である第１留め具とを含み、前記第２回転軸支持体は、前記表示画面の前記筐体に固定的に連結されている第２本体部と、前記第２本体部と一体構造である第２留め具とを含み、
前記第１本体部および前記第２本体部は、前記表示画面の前記筐体に固定的に連結され、前記第１留め具は、組み付け方式で前記回転軸に連結される、請求項１に記載のノートブックコンピュータ。
【請求項３】
前記第２留め具は、組み付け方式で前記回転軸に連結される、請求項２に記載のノートブックコンピュータ。
【請求項４】
前記第２留め具は、前記第１本体部に固定的に連結される、請求項２に記載のノートブックコンピュータ。
【請求項５】
前記第２留め具は、リベット打ちまたは溶接によって前記第１本体部に連結される、請求項４に記載のノートブックコンピュータ。
【請求項６】
前記第２本体部は、前記駆動回路基板の前記投影と重なる第１領域と、前記駆動回路基板の前記投影と重ならない第２領域とを含み、前記第１領域は、両面テープを用いて、または、接着剤を塗布することによって、前記表示画面の前記筐体に固定的に連結される、請求項２から５の何れか一項に記載のノートブックコンピュータ。
【請求項７】
前記第２領域は、ねじ連結によって前記表示画面の前記筐体に連結され、または、前記第２領域は、両面テープを用いて、もしくは、接着剤を塗布することによって、前記表示画面の前記筐体に固定的に連結される、請求項６に記載のノートブックコンピュータ。
【請求項８】
前記第２本体部は、前記駆動回路基板の前記投影と重なる第１領域と、前記駆動回路基板の前記投影と重ならない第２領域とを含み、前記第１領域は、両面テープを用いて、または、接着剤を塗布することによって、前記表示画面の前記筐体に固定的に連結され、前記第２領域は、ねじ連結によって前記表示画面の前記筐体に連結される、請求項２から５の何れか一項に記載のノートブックコンピュータ。
【請求項９】
前記第１領域の厚さが、前記第２領域の厚さより小さい、請求項６から８の何れか一項に記載のノートブックコンピュータ。
【請求項１０】
前記第１本体部は、両面テープを用いて、もしくは、接着剤を塗布することによって、前記表示画面の前記筐体に固定的に連結される、または、前記第１本体部は、ねじ連結によって前記表示画面の前記筐体に連結される、請求項２から９の何れか一項に記載のノートブックコンピュータ。
【請求項１１】
前記第２回転軸支持体の、予め設定された領域の厚さが、前記第１回転軸支持体の厚さより小さい、請求項１から１０の何れか一項に記載のノートブックコンピュータ。
【発明の詳細な説明】
【技術分野】
【０００１】
本願は、２０１６年１１月２８日に中国特許庁に出願された「ＮＯＴＥＢＯＯＫ  ＣＯＭＰＵＴＥＲ」と題する中国特許出願第２０１６１１０６５５３７．１号への優先権を主張するものであり、その内容全体が参照により本明細書に組み込まれる。
【０００２】
本願は、電子デバイス技術の分野、特に、ノートブックコンピュータに関する。
【背景技術】
【０００３】
ノートブックコンピュータの回転軸は、ノートブックコンピュータの表示画面とノートブックコンピュータの基部とを連結する主要なコンポーネントである。具体的には、回転軸支持体がノートブックコンピュータの表示画面に配置され、回転軸支持体がノートブックコンピュータの基部にも配置される。組み立て時、ノートブックコンピュータの表示画面上の回転軸支持体、および、ノートブックコンピュータの基部上の回転軸支持体が同じ回転軸に組み付けられることで、ノートブックコンピュータの表示画面およびノートブックコンピュータの基部は組み付けられ得る。
【０００４】
しかしながら、ノートブックコンピュータの回転軸の信頼性および安定性を確保するには、大型ノートブックコンピュータの場合、回転軸の回転軸支持体を固定するのに比較的大きな固定面積が通常必要であるが、ノートブックコンピュータの表示画面上の、回転軸支持体を配置するためのスペースは比較的限られている。その結果、既存のノートブックコンピュータの表示画面には回転軸を設計するためのスペースが十分にない。
【発明の概要】
【０００５】
上述の技術的問題を解決すべく、本願の実施形態は、既存のノートブックコンピュータに回転軸を設計するためのスペースが十分にないといった問題を解決するようなノートブックコンピュータを提供する。
【０００６】
上述の問題を解決すべく、本願の実施形態は以下の技術的解決手段を提供する。
【０００７】
第１態様によれば、本願のある実施形態は、表示画面と、基部と、表示画面および基部を連結する回転軸と、表示画面の筐体の内部に配置され、かつ、組み付け方式で回転軸に連結される、回転軸支持体と、表示画面の筐体の内部に配置される駆動回路基板とを備えるノートブックコンピュータを提供する。ここで、回転軸支持体は、第１回転軸支持体および第２回転軸支持体を有し、駆動回路基板の投影および第１回転軸支持体の投影が、表示画面が位置付けられる平面において重ならず、駆動回路基板の投影および第２回転軸支持体の投影が、表示画面が位置付けられる平面において少なくとも部分的に重なる。回転軸支持体がノートブックコンピュータの表示画面の両側から中央に向かって、駆動回路基板が位置付けられる領域まで延びるときに、第２回転軸支持体の少なくとも一部の領域が駆動回路基板の下に配置されることで、駆動回路基板および第２回転軸支持体は当該一部の領域を共有して、回転軸支持体がノートブックコンピュータの表示画面の両側から中央に向かって、駆動回路基板が位置付けられる領域まで延びるときに、回転軸支持体の配置位置が駆動回路基板の配置位置にぶつかるといった問題が解決される。従って、ノートブックコンピュータの表示画面のベゼル領域の面積が増えないのでノートブックコンピュータの全体サイズへの影響がなく、駆動回路基板が改良されなくてもよいのでコストが比較的低い。
【０００８】
第１態様との関連で、第１の考えられる実装において、第１回転軸支持体は、表示画面の筐体に固定的に連結されている第１本体部と、第１本体部と一体構造である第１留め具とを含み、第２回転軸支持体は、表示画面の筐体に固定的に連結されている第２本体部と、第２本体部と一体構造である第２留め具とを含む。ここで、第１本体部および第２本体部は、表示画面の筐体に固定的に連結され、第１留め具は、組み付け方式で回転軸に連結される。
【０００９】
第１態様の第１の考えられる実装との関連で、第２の考えられる実装において、第２留め具は、組み付け方式で回転軸に連結される。
【００１０】
第１態様の第１の考えられる実装との関連で、第３の考えられる実装において、第２留め具は、第１本体部に固定的に連結される。
【００１１】
第１態様の第３の考えられる実装との関連で、第４の考えられる実装において、第２留め具は、リベット打ちまたは溶接によって第１本体部に連結される。
【００１２】
第１態様の第１から第４の考えられる実装のうちの何れか１つとの関連で、第５の考えられる実装において、第２本体部は、駆動回路基板の投影と重なる第１領域と、駆動回路基板の投影と重ならない第２領域とを含み、第１領域は、両面テープを用いて、または、接着剤を塗布することによって、表示画面の筐体に固定的に連結される。
【００１３】
第１態様の第５の考えられる実装との関連で、第６の考えられる実装において、第２領域は、ねじ連結によって表示画面の筐体に連結される、または、第２領域は、両面テープを用いて、または、接着剤を塗布することによって、表示画面の筐体に固定的に連結される。
【００１４】
第１態様または上述の考えられる実装のうちの何れか１つとの関連で、第７の考えられる実装において、第１本体部は、両面テープを用いて、または、接着剤を塗布することによって、表示画面の筐体に固定的に連結される、または、第１本体部は、ねじ連結によって表示画面の筐体に連結される。
【００１５】
第１態様の上述の考えられる実装のうちの何れか１つとの関連で、第８の考えられる実装では、第１回転軸支持体の強度が高まり、かつ、回転軸支持体と回転軸との間の安定性が高まるよう、第２回転軸支持体の、予め設定された領域の厚さが第１回転軸支持体の厚さより小さい。
【図面の簡単な説明】
【００１６】
本願の実施形態または先行技術における技術的解決手段をより明確に説明すべく、以下ではこれらの実施形態または先行技術を説明するのに必要な添付図面を簡単に説明する。以下の説明における添付図面は、本願の幾つかの実施形態を示すものであり、当業者であれば創造的努力をせずともこれらの添付図面から他の図面を導き出すことができると思われる。
【００１７】
【図１】本願のある実施形態に係るノートブックコンピュータの概略構造図である。
【００１８】
【図２】本願のある実施形態に係るノートブックコンピュータにおける回転軸支持体の概略構造図である。
【００１９】
【図３】本願のある実施形態に係るノートブックコンピュータにおける表示画面、回転軸および回転軸支持体の概略構造図である。
【００２０】
【図４】本願の別の実施形態に係るノートブックコンピュータにおける回転軸支持体の概略構造図である。
【００２１】
【図５】本願の更に別の実施形態に係るノートブックコンピュータにおける回転軸支持体の概略構造図である。
【００２２】
【図６】本願の更に別の実施形態に係るノートブックコンピュータにおける回転軸支持体の概略構造図である。
【００２３】
【図７】本願の尚も更に別の実施形態に係るノートブックコンピュータにおける回転軸支持体の概略構造図である。
【発明を実施するための形態】
【００２４】
背景技術に示されている通り、既存のノートブックコンピュータの表示画面には回転軸を設計するためのスペースが十分にないといった問題がある。
【００２５】
具体的には、既存のノートブックコンピュータの表示画面は、表示領域と、表示領域を取り囲むベゼル領域とを含む。ベゼル領域には、駆動回路基板と、駆動回路基板の両側に位置付けられ、かつ、回転軸を固定するように構成されている、回転軸支持体とが配置される。ノートブックコンピュータの表示画面と基部とを連結する回転軸の安定性を確保すべく、回転軸を固定するように構成されている回転軸支持体は通常、回転軸支持体を固定するための面積が増えるように、ノートブックコンピュータの左側および右側から駆動回路基板の方向に向かって延びる。
【００２６】
しかしながら、ノートブックコンピュータの表示画面のベゼル領域の面積は比較的限られているので、回転軸支持体が駆動回路基板の方向から、駆動回路基板が位置付けられる領域まで延びるときに、回転軸支持体の配置位置が駆動回路基板の配置位置にぶつかる。
【００２７】
このような事情を考慮して、本願のある実施形態は、ノートブックコンピュータを提供する。図１に示されている通り、当該ノートブックコンピュータは、表示画面１と、基部２と、表示画面１および基部２を連結する回転軸３と、表示画面１の筐体の内部に配置され、かつ、組み付け方式で回転軸３に連結される、回転軸支持体４と、表示画面１の筐体の内部に配置される駆動回路基板とを備える。図２に示されている通り、回転軸支持体４は、第１回転軸支持体４１および第２回転軸支持体４２を有し、駆動回路基板５の投影および第１回転軸支持体４１の投影が、表示画面１が位置付けられる平面において重ならず、駆動回路基板５の投影および第２回転軸支持体４２の投影が、表示画面１が位置付けられる平面において少なくとも部分的に重なる。
【００２８】
具体的には、本願のある実施形態において、図３に示されている通り、表示画面１のベゼル領域が２つの回転軸支持体４を含み、２つの回転軸支持体４は、ベゼル領域の両端においてそれぞれ回転軸３に組み付けられるように構成される。
【００２９】
本願のこの実施形態では、表示画面１の筐体の両側間の回転軸の範囲が小さくなり、かつ、表示画面１の筐体および回転軸支持体４を固定するための面積が増えるよう、第１回転軸支持体４１は、一次軸受支持体であり、表示画面１の筐体および回転軸３の主な重量に耐えるように構成され、第２回転軸支持体４２は、二次軸受支持体であり、第１回転軸支持体４１から第２回転軸支持体４２の方向に延びるように構成されることに留意されたい。
【００３０】
第１回転軸支持体４１の耐力が高まり、かつ、回転軸３と回転軸支持体４との間の安定性が高まるよう、本願のある実施形態では、第２回転軸支持体４２の、予め設定された領域の厚さが第１回転軸支持体４１の厚さより小さい。予め設定された領域は、第２回転軸支持体４２の領域全体であってもよいし、第２回転軸支持体４２内の一部の領域であってもよい。予め設定された領域が第２回転軸支持体４２と駆動回路基板との間の重複領域を完全に覆っている限り、本願はこれに対する制限を課さない。
【００３１】
本願のこの実施形態において、第１回転軸支持体４１の厚さは、先行技術における回転軸支持体の厚さと同じであっても異なっていてもよいことに留意されたい。これは本願において限定されず、具体的には状況によって決まる。
【００３２】
本願のこの実施形態で提供されるノートブックコンピュータにおいて、回転軸支持体４は、第１回転軸支持体４１および第２回転軸支持体４２といった２つの部品を含み、駆動回路基板の投影および第２回転軸支持体４２の投影は、表示画面１が位置付けられる平面において少なくとも部分的に重なることが分かる。回転軸支持体４がノートブックコンピュータの表示画面１の両側から中央に向かって（すなわち、方向Ｘにおいて）、駆動回路基板が位置付けられる領域まで延びるときに、第２回転軸支持体４２の少なくとも一部の領域が駆動回路基板５の下に配置されることで、駆動回路基板５および第２回転軸支持体４２は当該一部の領域を共有して、回転軸支持体４がノートブックコンピュータの表示画面１の両側から中央に向かって、駆動回路基板５が位置付けられる領域まで延びるときに、回転軸支持体４の配置位置が駆動回路基板５の配置位置にぶつかるといった問題が解決される。従って、ノートブックコンピュータの表示画面１のベゼル領域の面積が増えないのでノートブックコンピュータの全体サイズへの影響がなく、駆動回路基板５が改良されなくてもよいのでコストが比較的低い。
【００３３】
本願のこの実施形態では、図１に更に示されている通り、基部２の筐体が別の回転軸支持体６を含み、別の回転軸支持体６を用いて回転軸３に組み付けられることに留意されたい。基部の筐体には、回転軸支持体のために利用可能なスペースが比較的十分にある。従って、本願のある実施形態において、基部の筐体内の回転軸支持体は、回転軸支持体の固定強度が更に高まるよう、各部の厚さが同じである、回転軸支持体であってよい。しかしながら、本願はこれに対する制限を課さない。本願の別の実施形態では、基部の筐体内の回転軸支持体のために利用可能なスペースが限られているとき、本願のこの実施形態で提供される回転軸支持体の構造が代わりに使用されてよく、これは具体的には状況によって決まる。
【００３４】
前述の実施形態に基づいて、本願のある実施形態において、駆動回路基板の投影および第２回転軸支持体４２の投影が、表示画面１が位置付けられる平面において少なくとも部分的に重なることは、駆動回路基板５および第２回転軸支持体４２が第１回転軸支持体４１から第２回転軸支持体４２の方向（すなわち、方向Ｘ）において部分的に重なること、または、駆動回路基板５が第１回転軸支持体４１から第２回転軸支持体４２の方向において第２回転軸支持体４２を完全に覆うか部分的に覆うことであってよい。これは本願において限定されず、具体的には状況によって決まる。
【００３５】
上述の実施形態のうちの何れか１つに基づいて、本願のある実施形態において、図４に示されている通り、第１回転軸支持体４１は、表示画面１の筐体に固定的に連結されている第１本体部４１１と、第１本体部４１１と一体構造である第１留め具４１２とを含み、第２回転軸支持体４２は、表示画面１の筐体に固定的に連結されている第２本体部４２１と、第２本体部４２１と一体構造である第２留め具４２２とを含む。第１本体部４１１および第２本体部４２１は、表示画面１の筐体に固定的に連結され、第１留め具４１２は、組み付け方式で回転軸３に連結される。
【００３６】
具体的に言うと、本願のある実施形態では、第１留め具４１２および回転軸３が組み付けられて連結されるよう、第１留め具４１２は湾曲アームであり、湾曲アームは中心貫通孔を含み、回転軸３は中心貫通孔を通過する。
【００３７】
前述の実施形態に基づいて、本願の実装において、図４および図６に示されている通り、第２留め具４２２は、回転軸支持体４および回転軸３の固定強度が高まるよう、組み付け方式で回転軸３に連結される。具体的に言うと、図４および図６に更に示されている通り、第２留め具４２２が組み付け方式で回転軸３に連結されるとき、本願のある実施形態では、第２留め具４２２および回転軸３が組み付けられて連結されるよう、第２留め具４２２は中心貫通孔を含み、回転軸３は中心貫通孔を通過する。
【００３８】
本願の別の実装において、第２留め具４２２は、第１本体部４１１に固定的に連結される。具体的には、図５および図７に示されている通り、第２留め具４２２が第１本体部４１１に固定的に連結されるとき、第２回転軸支持体４２と第１回転軸支持体４１とが固定的に連結されるよう、第２留め具４２２がリベット打ちまたは溶接によって第１本体部４１１に連結されることで、回転軸３、第１回転軸支持体４１および第２回転軸支持体４２は互いに連結される。図５および図７に示されている通り、図５および図７は、第２留め具４２２と第１本体部４１１との間のリベット連結の概略図を示している。ここで、Ａはリベット打ち個所である。
【００３９】
上述の実施形態のうちの何れか１つに基づいて、本願のある実施形態において、第２本体部４２１は、駆動回路基板の投影と重なる第１領域Ｂと、駆動回路基板の投影と重ならない第２領域Ｃとを含み、第１領域Ｂは、両面テープを用いて、または、接着剤を塗布することによって、表示画面１の筐体に固定的に連結される。しかしながら、本願はこれに対する制限を課さない。本願の別の実施形態において、表示画面１が位置付けられる平面と垂直の方向において、第１領域Ｂと駆動回路基板との間の距離が許す限り、第１領域Ｂは、ねじ連結によって表示画面１の筐体に連結されてもよい。具体的には、第１領域Ｂは第１ねじ穴を含み、第１領域Ｂは、ボルトを用いることにより第１ねじ穴を通して表示画面１の筐体にロックされる。
【００４０】
前述の実施形態に基づいて、本願のある実施形態において、図６および図７に示されている通り、第２領域Ｃは、両面テープを用いて、または、接着剤を塗布することによって、表示画面１の筐体に固定的に連結される。本願の別の実施形態において、表示画面１の筐体のスペースが許す限り、第２領域Ｃは、ねじ連結によって表示画面１の筐体に連結される。具体的には、図４および図５に示されている通り、第２領域Ｃは第２ねじ穴５１を含む。具体的には、固定中、ねじが第２領域Ｃの第２ねじ穴５１を通過することで、第２本体部４２１の第２領域Ｃは、表示画面１の筐体にロックされる。
【００４１】
本願のこの実施形態では、第２本体部４２１内の第１領域Ｂの厚さが第２領域Ｃの厚さと同じであっても異なっていてもよいことに留意されたい。第１領域Ｂの厚さが第２領域Ｃの厚さと異なる場合は、第１領域Ｂおよび駆動回路基板が重なるときに、第２領域Ｃの厚さを増やすことにより第２回転軸支持体４２の安定性が確実に高まるよう、第１領域Ｂの厚さは第２領域Ｃの厚さより小さい。これは本願において限定されず、具体的には状況によって決まる。第１回転軸支持体４１の第１本体部４１１の厚さが第１領域Ｂの厚さより大きくてよい。第１本体部４１１の厚さを増やすことにより、第１回転軸支持体４１の安定性が高まる。第１本体部４１１の厚さは、第２領域Ｃの厚さと同じであっても異なっていてもよい。これは本願において限定されず、具体的には状況によって決まる。
【００４２】
上述の実施形態のうちの何れか１つに基づいて、本願のある実施形態において、図６および図７に示されている通り、第１本体部４１１は、両面テープを用いて、または、接着剤を塗布することによって、表示画面１の筐体に固定的に連結される。本願の別の実施形態において、第１本体部４１１は、ねじ連結によって表示画面１の筐体に連結される。具体的には、図４および図５に示されている通り、第１本体部４１１がねじ連結によって表示画面１の筐体に連結されるとき、第１本体部４１１は第３ねじ穴５２を含み、第１本体部４１１は、ボルトを用いることにより第３ねじ穴５２を通して表示画面１の筐体にロックされる。
【００４３】
上述の説明からは、本願のこの実施形態で提供されるノートブックコンピュータにおいて、回転軸支持体４は、第１回転軸支持体４１および第２回転軸支持体４２といった２つの部品を含み、駆動回路基板の投影および第１回転軸支持体４１の投影は、表示画面１が位置付けられる平面において重ならず、駆動回路基板の投影および第２回転軸支持体４２の投影は、表示画面１が位置付けられる平面において少なくとも部分的に重なることが分かる。回転軸支持体４がノートブックコンピュータの表示画面１の両側から中央に向かって、駆動回路基板が位置付けられる領域まで延びるときに、第２回転軸支持体４２が駆動回路基板５の下に配置されることで、駆動回路基板５および第２回転軸支持体４２は一部の領域を共有して、回転軸支持体４がノートブックコンピュータの表示画面１の両側から中央に向かって、駆動回路基板５が位置付けられる領域まで延びるときに、回転軸支持体４の配置位置が駆動回路基板５の配置位置にぶつかるといった問題が解決される。従って、ノートブックコンピュータの表示画面１のベゼル領域の面積が増えないのでノートブックコンピュータの全体サイズへの影響がなく、駆動回路基板が改良されなくてもよいのでコストが比較的低い。
【００４４】
以下では、特定の実施形態を参照しながら、本願で提供されるノートブックコンピュータについて説明する。
【００４５】
図４に示されている通り、本願のある実施形態において、回転軸支持体は、第１回転軸支持体４１および第２回転軸支持体４２を含む。第１回転軸支持体４１は、第１本体部４１１および第１留め具４１２を含み、第２回転軸支持体４２は、第２本体部４２１および第２留め具４２２を含む。第２本体部４２１は、駆動回路基板の投影と重なる第１領域Ｂと、駆動回路基板の投影と重ならない第２領域Ｃとを含む。具体的には、本願のこの実施形態において、第２本体部４２１の第１領域Ｂは、接着剤を塗布することによって、または、両面テープを用いて、表示画面の筐体に固定的に連結され、第２本体部４２１の第２領域Ｃは、ねじ連結によって表示画面の筐体に連結される。第２留め具４２２は中心貫通孔を含み、回転軸３は、中心貫通孔を通過して組み付け方式で第２留め具４２２に連結される。第１本体部４１１は、ねじ連結によって表示画面の筐体に連結される。第１留め具４１２は中心貫通孔を含み、回転軸３は、中心貫通孔を通過して組み付け方式で第１留め具４１２に連結される。
【００４６】
図６に示されている通り、本願の別の実施形態において、回転軸支持体は、第１回転軸支持体および第２回転軸支持体を含み、第１回転軸支持体は、第１本体部４１１および第１留め具４１２を含み、第２回転軸支持体は、第２本体部４２１および第２留め具４２２を含む。第２本体部４２１は、駆動回路基板の投影と重なる第１領域Ｂと、駆動回路基板の投影と重ならない第２領域Ｃとを含む。具体的には、本願のこの実施形態において、第２本体部４２１の第１領域Ｂは、接着剤を塗布することによって、または、両面テープを用いて、表示画面の筐体に固定的に連結され、第２本体部４２１の第２領域Ｃは、両面テープを用いて、または、接着剤を塗布することによって、表示画面の筐体に固定的に連結される。第２留め具４２２は中心貫通孔を含み、回転軸３は、中心貫通孔を通過して組み付け方式で第２留め具４２２に連結される。第１本体部４１１は、両面テープを用いて、または、接着剤を塗布することによって、表示画面の筐体に固定的に連結される。第１留め具４１２は中心貫通孔を含み、回転軸３は、中心貫通孔を通過して組み付け方式で第１留め具４１２に連結される。
【００４７】
図５に示されている通り、本願の更に別の実施形態において、回転軸支持体４は、第１回転軸支持体および第２回転軸支持体を含み、第１回転軸支持体は、第１本体部４１１および第１留め具４１２を含み、第２回転軸支持体は、第２本体部４２１および第２留め具４２２を含む。第２本体部４２１は、駆動回路基板の投影と重なる第１領域Ｂと、駆動回路基板の投影と重ならない第２領域Ｃとを含む。具体的には、本願のこの実施形態において、第２本体部４２１の第１領域Ｂは、接着剤を塗布することによって、または、両面テープを用いて、表示画面の筐体に固定的に連結され、第２本体部４２１の第２領域Ｃは、ねじ連結によって表示画面の筐体に連結される。第２留め具４２２は、リベット打ちまたは溶接によって第１本体部４１１に連結される。第１本体部４１１は、ねじ連結によって表示画面の筐体に連結される。第１留め具４１２は中心貫通孔を含み、回転軸３は、中心貫通孔を通過して組み付け方式で第１留め具４１２に連結される。
【００４８】
図７に示されている通り、本願の更に別の実施形態において、回転軸支持体は、第１回転軸支持体および第２回転軸支持体を含み、第１回転軸支持体４１は、第１本体部４１１および第１留め具４１２を含み、第２回転軸支持体４２は、第２本体部４２１および第２留め具４２２を含む。第２本体部４２１は、駆動回路基板の投影と重なる第１領域Ｂと、駆動回路基板の投影と重ならない第２領域Ｃとを含む。具体的には、本願のこの実施形態において、第２本体部４２１の第１領域Ｂは、接着剤を塗布することによって、または、両面テープを用いて、表示画面の筐体に固定的に連結され、第２本体部４２１の第２領域Ｃは、両面テープを用いて、または、接着剤を塗布することによって、表示画面の筐体に固定的に連結される。第２留め具４２２は、リベット打ちまたは溶接によって第１本体部４１１に連結される。第１本体部４１１は、両面テープを用いて、または、接着剤を塗布することによって、表示画面の筐体に固定的に連結される。第１留め具４１２は中心貫通孔を含み、回転軸３は、中心貫通孔を通過して組み付け方式で第１留め具４１２に連結される。
【００４９】
結論として、本願のこの実施形態で提供されるノートブックコンピュータにおいて、回転軸支持体４は、第１回転軸支持体４１および第２回転軸支持体４２といった２つの部品を含み、駆動回路基板の投影および第１回転軸支持体４１の投影は、表示画面１が位置付けられる平面において重ならず、駆動回路基板の投影および第２回転軸支持体４２の投影は、表示画面１が位置付けられる平面において少なくとも部分的に重なる。回転軸支持体４がノートブックコンピュータの表示画面１の両側から中央に向かって、駆動回路基板が位置付けられる領域まで延びるときに、第２回転軸支持体４２が駆動回路基板の下に配置されることで、駆動回路基板および第２回転軸支持体４２は一部の領域を共有して、回転軸支持体４がノートブックコンピュータの表示画面１の両側から中央に向かって、駆動回路基板が位置付けられる領域まで延びるときに、回転軸支持体の配置位置が駆動回路基板の配置位置にぶつかるといった問題が解決される。従って、ノートブックコンピュータの表示画面１のベゼル領域の面積が増えないのでノートブックコンピュータの全体サイズへの影響がなく、駆動回路基板が改良されなくてもよいのでコストが比較的低い。
【００５０】
本明細書における実施形態は全て、漸進的に説明されている。実施形態における同じ部品または同様の部品については、これらの実施形態を参照されたい。各実施形態が他の実施形態との違いに重点を置いている。実施形態で開示される装置は実施形態で開示される方法に対応しているので、装置については比較的簡単に説明されている。方法の実施形態に関連する部分については、方法の説明を参照されたい。
【００５１】
以上に開示された実施形態は、当業者が本願を実装または使用できるように説明されている。実施形態に加えられる様々な改良が当業者にとって明らかであり、本明細書で定義される一般原則は、本願の主旨または範囲から逸脱することなく他の実施形態で実装されてもよい。従って、本願は、本明細書で説明されるこれらの実施形態に限定されることなく、本明細書で開示される原則および新規な特徴と矛盾しない最も広い範囲で解釈されるものとする。
【図１】
0006885655.tif 000002
【図２】
0006885655.tif 000003
【図３】
0006885655.tif 000004
【図４】
0006885655.tif 000005
【図５】
0006885655.tif 000006
【図６】
0006885655.tif 000007
【図７】
0006885655.tif 000008